【事件の表示】
　特願２００８−　８１７９１「文字入力装置、制御方法」拒絶査定不服審判事件〔平成２１年１０月　８日出願公開、特開２００９−２３０７２７〕について、次のとおり審決する。
【結　論】
　本件審判の請求は、成り立たない。
【理　由】
第１．出願の経緯
　本願は、特許法第４１条に基づく優先権主張を伴う平成２０年３月２６日（優先日：平成２０年２月２６日、出願番号：特願２００８−４５０８０号）の出願であって、平成２３年１０月１３日付けで拒絶理由が通知され、同年１２月１９日付けで手続補正がなされたが、平成２４年５月２２日付けで拒絶査定がなされ、これに対し、同年８月２９日に拒絶査定不服の審判が請求されたものである。
　
第２．本願発明
　本願の請求項１に係る発明（以下、「本願発明」という。）は、平成２３年１２月１９日付け手続補正書の特許請求の範囲の請求項１に記載された事項により特定される、以下のとおりのものである。
「【請求項１】
　表示部に表示されている文字が選択された状態で入力部が操作された場合に、前記選択されている文字と同じ種類の文字を、当該選択されている文字とは別に表示する制御部を備える
ことを特徴とする文字入力装置。」
　
第３．引用例等
　原査定の拒絶の理由に引用された、本願の優先日前に頒布された刊行物である、特開昭６０−４９４２３号公報（以下、「引用例」という。）には、図面とともに、次の技術事項が記載されている。
　
ａ）「［技術分野］
　　本発明はCRTディスプレイ等の出力表示画面を見ながらキーボード等の入力装置を使用して文書の作成や編集あるいは校正などの文字処理を行う文字処理装置に関する。
［従来技術］
　　従来、この種の文字処理装置において、例えば、日本語ワードプロセッサ等において、
文書の作成編集中あるいは校正中に文字の訂正や修正の必要が生じた場合には、カーソルをその訂正あるいは修正させたい文字の位置に移動させ、次いで予め定められた操作手順に従ってキー入力を行うことにより、文字の書き換えあるいは文字の追加等の訂正や修正を行う
　しかしながら、かかる従来装置において、例えば誤字の訂正をしたい場合に、現在のモードが例えば平仮名でカーソルの移動先が片仮名モードで入力しなければならない場合には「カタカナ」キー等を押下して片仮名モードに設定しなおしてから順次文字キー等のキー入力を行って訂正していた。このように、従来装置では文書の訂正や修正時にモード切換が必要な場合に、キー入力操作者（オペレータ）にその都度モード設定を行わせる煩わしさがあった。」（第１頁右下欄第２行〜第２頁左上欄第５行の記載。下線は、当審で付与。以下、同様。）
　
ｂ）「第１図は本発明文字処理装置の構成の一例を示し、ここで、
１はマイクロプロセッサであり、文字処理のための演算や論理判断等を行い、バス２〜４を介してそれらのバスに接続された各構成要素を制御
　さらに、
５はキーボードであって、
アルファベットキー、平仮名キー等の各種のキーを配設してあり
　つぎに、７はCRTコントローラであり、CRT装置８、キャラクタジェネレータ９、リフレッシュメモリ10およびリフレッシュメモリコントローラ11を制御する。また、
CRT装置８は通常のテレビジョン受像機と同様のディスプレイを行うことができ
　さらに、
12は読出し専用メモリ、いわゆるROMであって、本発明に関する制御手順をあらかじめ記憶するとともに各種の処理手順を記憶させてある
14はランダムアクセスメモリ、いわゆるRAMであって、各種のデータの一時記憶に用い、例えばキーボード５から入力するキー信号を記憶するレジスタINDR、カーソル位置を記憶するレジスタCR、および平仮名モードか、片仮名モードか、あるいは英大記号か英小記号か等のモード種別を記憶するモードレジスタMODRなどを有している
　上述のような
各構成要素１〜15からなる本発明文字処理装置はキーボード５から入力データにより作動し、その入力データに応じてROM12内に記憶してある制御手順に従って各種の文字処理動作を行う
　
ｃ）「上述のような各構成の本発明文字処理装置を用いて、
文書の作成や編集あるいは校正等を行う処理動作は通常一般に行われている方法と何ら変わることがない
　まず、
カーソルの移動を行わせるために用いる各種キー
がキー入力操作者により押下られたことは、RAM14中のレジスタINDRの内容を判別すれば容易に識別でき
次いで、これらのカーソル移動キーが押下られた後は、そのカーソル移動キーの種類に応じて予め定められた手順に従ってRAM14中の、
カーソルレジスタCRの内容を書換え、CRT装置８の画面上でカーソルを移動させ
　
次に、そのカーソルが位置するところの文字が平仮名か、片仮名か、あるいは英大文字か、英小数字かあるいはモード設定のない白紙コードやスペースコードなどの特殊コードかを、その文字コードから判別して、もし何らかのモードを有する文字コード、例えばその文字コードがJISコードの２バイトで表わされる“24 22”であるならば、それは「あ」を意味し、この「あ」は平仮名であるので、RAM14中の
モードレジスタMODRにその文字の属するモードを平仮名モードを意味し、かつマイクロプロセッサ１が識別できる何らかの内部コードに変換して格納
　
このモード変換処理以降は、再びカーソル移動キーが押下されるか、あるいはモード設定キーの例えば「ひらがな」キーや「英大文字」キー等が押下されるまで、上述のモードレジスタMODRの内容は変化させないで、文書作成や編集あるいは校正の一連の文字処理をモードレジスタMODRに格納されているモードに基づいて行う
　なお、本例においては、カーソル移動キーを押下した場合にモードレジスタMODRの内容のみを書き換えて文字処理を行っているが、例えばキーボードの「ひらがな」キー、「カタカナ」キー等のモードを指示するキーのトップ（頂部）にLED（発光ダイオード）を内蔵させて点灯したり、CRT画面等の表示面にモードを表示させたりすることによって、現在のキー入力のモードをキー入力操作者に確認させ、それにより文字の入力能率をさらに向上させることも可能である。」（第２頁右下欄第１１行〜第３頁右上欄第１５行の記載。）
　
ｄ）「以上説明したように、本発明によれば、カーソル移動キーを押下して目的の場所にカーソル移動を行わせて文字の修正等を施す場合に、カーソル移動位置の文字のモードに合せてモード変換を行っているので、カーソル移動後の文字のモードとカーソル移動前に設定されていたモードとが例え異なる場合であっても、キー入力操作者は、カーソル移動後のカーソル位置の文字のモードと同じ入力モードでモード切換キーを押下することなしにモード切換することができるという効果が得られ、ひいては使い勝手等の操作性が向上し、作業時間の短縮が得られる。」（第３頁左下欄第１４行〜同頁右下欄第５行の記載。）
　
　上記引用例記載の事項及び図面より、引用例には以下の発明（以下「引用例記載の発明」という。）が記載されていると認められる。
　「マイクロプロセッサ１は、文字処理のための演算や論理判断等を行い、バス２〜４を介してそれらのバスに接続された各構成要素を制御し、
　キーボード５は、アルファベットキー、平仮名キー等の各種のキーを配設してあり、
　CRT装置８は通常のテレビジョン受像機と同様のディスプレイを行うことができ、
　読出し専用メモリ12は、いわゆるROMであって、制御手順をあらかじめ記憶するとともに各種の処理手順を記憶させてあり、
　ランダムアクセスメモリ14は、いわゆるRAMであって、各種のデータの一時記憶に用い、例えばキーボード５から入力するキー信号を記憶するレジスタINDR、カーソル位置を記憶するレジスタCR、および平仮名モードか、片仮名モードか、あるいは英大記号か英小記号か等のモード種別を記憶するモードレジスタMODRなどを有しており、
　上述のような各構成要素からなり、
　キーボード５から入力データにより作動し、その入力データに応じてROM12内に記憶してある制御手順に従って各種の文字処理動作を行う、
　文字処理装置であって、
　カーソルの移動を行わせるために用いる各種キーがキー入力操作者により押下られたことは、RAM14中のレジスタINDRの内容を判別すれば容易に識別でき、
　次いで、これらのカーソル移動キーが押下られた後は、そのカーソル移動キーの種類に応じて予め定められた手順に従ってRAM14中の、カーソルレジスタCRの内容を書換え、CRT装置８の画面上でカーソルを移動させ、
　次に、そのカーソルが位置するところの文字が平仮名か、片仮名か、あるいは英大文字か、英小数字かあるいはモード設定のない白紙コードやスペースコードなどの特殊コードかを、その文字コードから判別して、もし何らかのモードを有する文字コード、例えばその文字コードがJISコードの２バイトで表わされる“24 22”であるならば、それは「あ」を意味し、この「あ」は平仮名であるので、RAM14中のモードレジスタMODRにその文字の属するモードを平仮名モードを意味し、かつマイクロプロセッサ１が識別できる何らかの内部コードに変換して格納し、
　このモード変換処理以降は、再びカーソル移動キーが押下されるか、あるいはモード設定キーの例えば「ひらがな」キーや「英大文字」キー等が押下されるまで、上述のモードレジスタMODRの内容は変化させないで、文書作成や編集あるいは校正の一連の文字処理をモードレジスタMODRに格納されているモードに基づいて行い、
　文書の作成や編集あるいは校正等を行う処理動作は通常一般に行われている方法と何ら変わることがなく、
　文書の作成編集中あるいは校正中に文字の訂正や修正の必要が生じた場合には、カーソルをその訂正あるいは修正させたい文字の位置に移動させ、次いで予め定められた操作手順に従ってキー入力を行うことにより、文字の書き換えあるいは文字の追加等の訂正や修正を行う、
　文字処理装置。」
　
　本願の優先日前に頒布された刊行物である、服部佳代、松田ぱこん，一太郎Ｖｅｒ．４．３スーパーガイド，日本，株式会社ラジオ技術社，初版第２刷，１９９０年９月２０日，ｐ．５８〜６１（以下、「周知例」という。）には、図面とともに、次の技術事項が記載されている。
　
ｅ）「Ｐａｒｔ１　一太郎Ｖｅｒ．４への招待
３　文字の削除と修正
　まちがった文字を入力してしまった場合は，不要な部分を削除したり新しい文字を挿入したりして修正します．修正方法さえわかっていれば，今後の練習も安心してできますので，ここで完全に覚えてください．」（第５８頁第１〜５行の記載。）
　
ｆ）「文字の挿入
　文字の途中に新しい文字を入力する場合は，挿入モードになっていることを確認します．そして挿入したい位置にカーソルを移動し文字を入力します．
　
【操作】
　次のように「おげんですか。」と入力してしまった場合を例にします．
　
（１）（当審注：（１）は丸付き数字の１を置き換えたものである。以下、同様。）挿入モードになっていることを確信します．画面の右下に【挿入】と表示されている場合は挿入モードです．
　
　もし【上書】となっている場合は「INS」（当審注：「INS」は四角で囲われたINSを置き換えたものである。）キーを１回押します．
（２）カーソルを「で」の上に置きます．
　
（３）「き」を入力します．ローマ字漢字入力の場合は「K」「I」（当審注：「K」は四角で囲われたKを、「I」は四角で囲われたIを置き換えたものである。），カナ漢字の場合は「キ」（当審注：「キ」は四角で囲われたキを置き換えたものである。）を押します．
「Enter」（当審注：「Enter」は四角で囲われたキャリッジ・リターンを表す矢印のマークを置き換えたものである。）キーを押すと文字が入力されます．」（第６０頁第１１行〜第６１頁第４行の記載。）
　
ｇ）第６１頁の一番上の図に、「おげんですか。」と表示されると共に、「で」の上にカーソルが置かれた画面が表され、上から２番目の図に、「おげんきですか。」と表示されると共に、「で」の上にカーソルが置かれた画面が表されている。
　
第４．対比・判断
　
　次に、本願発明を引用例記載の発明と比較する。
　
ア）引用例記載の発明の「CRT装置８」は本願発明の「表示部」に、引用例記載の発明の「キーボード５」は本願発明の「入力部」に、引用例記載の発明の「マイクロプロセッサ」は「文字処理のための演算や論理判断等を行い、バス２〜４を介してそれらのバスに接続された各構成要素を制御」するものであるから本願発明の「制御部」に、また、引用例記載の発明の「文字処理装置」は「キー入力を行うことにより、文字の書き換えあるいは文字の追加等の訂正や修正を行う」ものであるから本願発明の「文字入力装置」にそれぞれ相当する。
　
イ）本願の明細書段落【００４２】には、「本発明にかかる携帯電話機１の文字入力処理では、図６（ｃ）に示されるように表示中の文字「ｏ」が選択された状態でテンキー４を用いた文字入力の入力動作が行われると、選択されている文字「ｏ」と同じ文字種である「半角英字」での文字入力が行われ、テンキー４の「２」キーが３回押下されることにより、図６（ｅ）に示されるように、「．」と「ｏ」の間に選択された文字「ｏ」と同じ文字種である「半角英字」の「ｃ」が挿入により入力されることとなる。」と記載されていることを考慮すれば、本願発明の「表示部に表示されている文字が選択された状態で入力部が操作された場合に、前記選択されている文字と同じ種類の文字を、当該選択されている文字とは別に表示する」ことは、「表示部に表示されている文字が選択された状態で入力部が操作された場合に、前記選択されている文字と同じ種類の文字」である入力された文字を、「当該選択されている文字とは別に表示する」ことと認められる。
　一方、引用例記載の発明は、「カーソルが位置するところの文字が平仮名か、片仮名か、あるいは英大文字か、英小数字かあるいはモード設定のない白紙コードやスペースコードなどの特殊コードかを、その文字コードから判別して、もし何らかのモードを有する文字コード、例えばその文字コードがJISコードの２バイトで表わされる“24 22”であるならば、それは「あ」を意味し、この「あ」は平仮名であるので、RAM14中のモードレジスタMODRにその文字の属するモードを平仮名モードを意味し、かつマイクロプロセッサ１が識別できる何らかの内部コードに変換して格納」する、すなわち、「カーソルが位置するところの文字」の文字コードから判別して、その文字の属するモードを「モードレジスタMODRに」「マイクロプロセッサ１が識別できる何らかの内部コードに変換して格納」するものである。
　また、引用例記載の発明は、「このモード変換処理以降は、再びカーソル移動キーが押下されるか、あるいはモード設定キーの例えば「ひらがな」キーや「英大文字」キー等が押下されるまで、上述のモードレジスタMODRの内容は変化させないで、文書作成や編集あるいは校正の一連の文字処理をモードレジスタMODRに格納されているモードに基づいて行い」、「文書の作成編集中あるいは校正中に文字の訂正や修正の必要が生じた場合には、カーソルをその訂正あるいは修正させたい文字の位置に移動させ、次いで予め定められた操作手順に従ってキー入力を行うことにより、文字の書き換えあるいは文字の追加等の訂正や修正を行う」ものである。
　したがって、引用例記載の発明は、カーソルが位置するところの文字の文字コードから判別して、その文字の属するモードをモードレジスタMODRに格納し、再びカーソル移動キーが押下されるまで、前記格納したモードに基づいて、キー入力を行うことにより文字の書き換えあるいは文字の追加等の訂正や修正の文字処理を行うものである。
　よって、引用例記載の発明において「カーソルが位置するところの文字」が存在する状態は本願発明の「表示部に表示されている文字が選択された状態」に相当し、引用例記載の発明の「キー入力を行うことにより文字の書き換えあるいは文字の追加等の訂正や修正の文字処理を行う」ことは、本願発明の「入力部が操作された場合」に相当し、引用例記載の発明において、「カーソルが位置するところの文字」が存在する状態で「文字処理を行う」ことは、本願発明の「表示部に表示されている文字が選択された状態で入力部が操作された場合」に相当する。
　また、引用例記載の発明は、「カーソルが位置するところの文字の文字コードから判別して、その文字の属するモードをモードレジスタMODRに格納し、」「格納したモードに基づいて、文字の書き換えあるいは文字の追加等の訂正や修正の文字処理を行う」から、「カーソルが位置するところの文字」と同じモードの文字が「文字処理」で入力、表示されるものであり、本願発明の「選択されている文字と同じ種類の文字を、当該選択されている文字とは別に表示する」ことと、「選択されている文字と同じ種類の文字を、表示する」点で共通するといえる。
　
　したがって両者は、
　「表示部に表示されている文字が選択された状態で入力部が操作された場合に、前記選択されている文字と同じ種類の文字を、表示する制御部を備える
ことを特徴とする文字入力装置。」
で一致し、次の点で相違する。
　
［相違点］ 
　本願発明は、「入力部が操作された場合に、前記選択されている文字と同じ種類の文字」である入力された文字を、「当該選択されている文字とは別に表示する」のに対して、引用例記載の発明は、「カーソルが位置するところの文字」のモード種別を「モードレジスタMODRに」「マイクロプロセッサ１が識別できる何らかの内部コードに変換して格納し」、「モードレジスタMODRの内容は変化させないで、文書作成や編集あるいは校正の一連の文字処理をモードレジスタMODRに格納されているモードに基づいて行い」、また、「文書の作成編集中あるいは校正中に文字の訂正や修正の必要が生じた場合には、カーソルをその訂正あるいは修正させたい文字の位置に移動させ、次いで予め定められた操作手順に従ってキー入力を行うことにより、文字の書き換えあるいは文字の追加等の訂正や修正を行う」ものであるが、入力された文字を「当該選択されている文字とは別に表示する」とは明記されていない点。
　
［相違点］について 
　引用例記載の発明は「文字の書き換えあるいは文字の追加等の訂正や修正を行う」ものであり、上記「文字の追加」が、表示されている文字に対して入力された文字を追加すること、すなわち、文字の挿入を示唆しているのは明らかである。
　そして、文字の挿入が、カーソルが位置するところの文字とは別に入力した文字が表示されるものであることは、周知例に記載されるように周知技術である。
　よって、引用例記載の発明に上記周知技術を適用し、相違点に係る構成を得ることは、当業者が容易になし得たことである。
　
　したがって、本願発明は、引用例記載の発明及び上記周知技術に基づき、当業者が容易に為し得たものである。
　
　そして、本願発明のように構成したことによる効果も引用例記載の発明及び上記周知技術から予測できる程度のものであって、格別なものではない。
　
第５．むすび
　以上のとおり、本願発明は、引用例に記載された発明及び周知技術に基づいて、当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。